(57)【要約】      （修正有）【課題】植物の安定成長促進機能を有し、植物自体の耐病理性を向上させ、更に植物病原菌拮抗作用し、更に土壌に対しては微生物によるポリウロナイド生成を促し緩衝能を有する、植物体乃至士壌改善用組成物と、該組成物の使用方法を提供する。【解決手段】組成物は、（要素Ａ群）・医王石・麦飯石珪酸・鉄・亜鉛・銅・モリブデン・マグネタイト・トルマリン・マンガン・ヨード・ホウ素などのうちから選ばれる１種以上の物質と、（要素Ｂ群）乳酸醗酵によって得られ、乳酸菌によって生産されるバイオプリザバテイブ、などの殺菌及び静菌作用を有する物質から選ばれる１種以上の物質と、（要素Ｃ群）白子蛋白抽出物・ステビアなどの内から選ばれる１種以上の物質で、望ましくは上記の各群より選ばれる１種以上の物質と第１燐酸カルシウムと乳酸菌によって生産されるバイオプリザバテイブとステビアとを含む組成物を使用する。【選択図】なし【特許請求の範囲】
【請求項１】
（要素Ａ群）・医王石・麦飯石・珪酸・鉄・亜鉛・銅・モリブデン・マグネタイト・トルマリン・マンガン・ヨード・ホウ素・硫酸マグネシウム・硫酸カリウム・水酸化カルシウム・第１燐酸カルシウム等は植物体内の養分の転流バランスをとり植物の安定成長を促進する物質。
（要素Ｂ群）乳酸醗酵によって得られ、乳酸菌によって生産されるバイオプリザバテイブ（植物・動物及び微生物起源の抗菌作用をもつ化合物で、何らの害作用もなく長期間人間に食べられてきたもの）、抗菌性蛋白質バクテリオシン・乳酸菌体細胞の酵素による過酸化水素生産・有機酸（乳酸・酢酸・ギ酸・プロピオン酸）他にはクエン酸・アスコルビン酸。
有機酸の種類・揮発性酸（酢酸・プロピオン酸・イソ酪酸・ｎ−酪酸・イソバレリアン酸）不揮発性酸（乳酸・ピルビン酸・オキサロ酢酸・コハク酸）などの殺菌及び静菌作用を有する物質。
（要素Ｃ群）白子蛋白抽出物・ホップエキス・キトサン・エピクロカテキンガレート・ステビア・は植物・動物由来の物質。
上記各群の物質は植物の耐病理性を改善し、土壌の緩衝能改善を備えている事を特徴とする組成物。
【請求項２】
要素Ａ群の医王石・麦飯石・珪酸・鉄・亜鉛・銅・モリブデン・マグネタイト・トルマリン・マンガン・ヨード・ホウ素・硫酸マグネシウム・硫酸カリウム・水酸化カルシウム・第１燐酸カルシウム。
要素Ｂ群の乳酸醗酵によって得られ、乳酸菌によって生産される（バイオプリザバテイブ）、抗菌性蛋白質バクテリオシン・乳酸菌体細胞の酵素系による過酸化水素生産・有機酸（乳酸・酢酸・ギ酸・プロピオン酸）・他にはクエン酸・アスコルビン酸。
要素Ｃ群の白子蛋白抽出物・ホップエキス・キトサン・エピクロカテキンガレート・ステビアなど、少なくとも各群より１種以上を混用形成されている事を特徴とする組成物。
【請求項３】
水と、上記の要素Ａ群、いずれかの物質を１種以上混用し溶解させた後、要素Ｂ群と要素Ｃ群との各群の中いずれかの物質を１種以上混用し、液状乃至ゲル状に溶解形成されていることを特徴とする組成物。
【請求項４】
「【請求項１】」記載の組成物を、液状乃至ゲル状に溶解形成されていることを特徴とする組成物。
【請求項５】
上記「【請求項１】」、「【請求項２】」記載の組成物を、土壌管理及び根環に施用し、「【請求項３】」、「【請求項４】」記載の組成物は葉面撒布乃至根及び茎葉部位、塗布剤として使用する事を特徴とする組成物。
【発明の詳細な説明】
【０００１】
【発明の属する技術分野】
本発明は、植物の安定成長促進及び植物体の耐病理性改善方法と、それに用いる組成物と、該組成物の製造方法とに関わり、詳しくは、植物の安定成長と、植物自体の耐病理性を向上させる機能を有し、植物病原菌拮抗作用し、更に土壌に対しては微生物によるポリウロナイド生成を促し緩衝能を有する植物体乃至土壌改善用組成物とに関する。
【０００２】
【従来の技術】
従来の農産物は、戦後強烈な化学農薬・化学肥料を使って生産され、それまで培ってきた土壌は傷み、肥沃だった表土は消耗乃至流亡して固く締り、そこで採れる農産物は、有機農産物の其れに比べて、ミネラル分も不足し約７０％の栄養価と、内容の乏しい農産物が多いのが現状。
【０００３】
近年、輸入農産物の残留農薬に問題が起こり、国内生産農産物に比べ百数十倍という、桁はずれの数値の残留農薬が検出されて、輸入農産物の残留農薬の安全性に疑問がもたれ、また国内産に於いては無登録農薬が検出されるなど、今世紀に入り一部農民の人心にやや乱れが生じ、国内問題へと発展した。
【０００４】
このようなことから農産物の信用を失墜させると共に、化学農薬・化学肥料の使用生産管理法に、消費者からは、其の生産管理記録を添付するなどの要望が起こり、安全な農産物を安心して食せるという情報として、トレイサビリティーという、追跡調査可能なサービスが必要となった。
【０００５】
消費者の健康意識が高まり、食品に対する安全性及び衛生管理体制が強く求められている。  これに伴い農産物を有機生産又は、減化学肥料、無農薬生産、もしくは減農薬、有機肥料生産など多様性を帯びてきている。
以下参考文献として考察した。
【特許文献１】特開平９−２６２０３４公報
【特許文献２】特開２００２−１７１６３公報
【特許文献３】特開２００２−２５５７１２公報
【０００６】
【発明が解決しようとする課題】
そこで本発明は植物の安定成長促進機能を有し植物自体の耐病理性を向上させ、更に植物病原菌拮抗作用し、更に土壌に対しては微生物によるポリウロナイド生成を促し緩衝能を有する、植物体乃至土壌改善用組成物と、該組成物の使用方法を提供する事を目的とする。
【０００７】
【課題を解決するための手段】
本発明者は広範囲な研究を行った結果、人体に対し無毒性で有害な成分を含まない、本発明の該組成物を用いれば、植物の安定成育を促進させ、食品としての高い安全性と、安全な農産物の高位平準化が図れる一方、環境に対する負荷の軽減につながり、此れを用いて生産された農産物は食感（組織弾力性）及び食味（糖度）に向上が見られる事から食品としての価値を最大限に高める事ができる。
【０００８】
【発明の実施の形態】
前述したように、本発明による組成物は、（要素Ａ群）・医王石・麦飯石・珪酸・鉄・亜鉛・銅・モリブデン・マグネタイト・トルマリン・マンガン・ヨード・ホウ素・硫酸マグネシウム・硫酸カリウム・水酸化カルシウム・第１燐酸カルシウムのうちから選ばれる１種以上の物質と、（要素Ｂ群）乳酸醗酵によって得られ、乳酸菌によって生産される物質（バイオプリザバテイブ）、抗菌性蛋白質バクテリオシン・乳酸菌体細胞の酵素による過酸化水素生産・有機酸（乳酸・酢酸・ギ酸・プロピオン酸）他にはクエン酸・アスコルビン酸。
有機酸の種類  揮発性酸（酢酸・プロピオン酸・イソ酪酸・ｎ−酪酸・イソバレリアン酸）
不揮発性酸（乳酸・ピルビン酸・オキサロ酢酸・コハク酸）
などの殺菌及び静菌作用を有する物質のうちから選ばれる１種以上の物質と、（要素Ｃ群）白子蛋白抽出物・ホップエキス・キトサン・エピクロカテキンガレート・ステビアのうちから少なくとも各群より１種以上の物質を混用形成されている事を特徴とする組成物。
以下、本発明をより具体的に説明する。
望ましくは上記の各群より選ばれる１種以上の物質と第１燐酸カルシウムと抗菌性蛋白質バクテリオシンとステビアとを含む。
【０００９】
【実施例】
以下、実施例に基づいて、本発明をより具体的に説明するが、下記の例によって本発明が実施例だけに限定される物ではない。
【００１０】
実施例１  温水と、上記の８０℃温水１０リットルに要素Ａ群の医王石微粉末１ｋｇと第１燐酸カルシウムと要素Ｂ群のバクテリオシンを含む乳酸菌１リットルとステビア１ｋｇを容器に順次入れ、攪拌機により溶解させた。この溶液２リットルを５００倍に希釈してコウスイ梨園５０アールに対し１２日おきに収穫前まで５回撒布した。
対照区を設けて収穫期に食感と糖度の比較検討した結果、カラーチャート２で双方３０個ずつ計測した。
【００１１】
実施例２  温水と、上記の８０℃温水１０リットルに要素Ａ群の医王石微粉末１ｋｇと第１燐酸カルシウムと要素Ｂ群のバクテリオシンを含む乳酸菌１リットルとステビア１ｋｇを容器に順次入れ、攪拌機により溶解させた。この溶液を５００倍に希釈して胡瓜に７日おきに５回撒布、対照区を設け耐病理性及び抗菌性及び生育状況を観察した。
【００１２】
実施例３  温水と、上記の８０℃温水１０リットルに要素Ａ群の麦飯石微粉末１ｋｇと硫酸マグネシウム１ｋｇと要素Ｂ群バクテリオシンを含む乳酸菌１リットルとキトサン５０ｇを容器に順次入れ、攪拌機により溶解させ、この溶液を５００倍に希釈して胡瓜に７日おきに５回撒布、対照区を設け耐病理性及び抗菌性及び生育状況を観察した。
【００１３】
実施例４  温水と、上記の８０℃温水１０リットルに要素Ａ群の、麦飯石微粉末１ｋｇと硫酸マグネシウム１ｋｇと要素Ｂ群バクテリオシンを含む乳酸菌１リットルとキトサン５０ｇを容器に順次入れ、攪拌機により溶解させた。この溶液を５００倍に希釈して、水稲に撒布使用し展葉期１回、出穂期１５日前に１回撒布、出穂期１回撒布、と計３回試みた。
対照区を設け耐病理性及び抗菌性及び生育状況と稔実歩合を観察した。
【００１４】
【発明の効果】
実施例１  効果：本発明の組成物使用区は食味（シャリ感）、糖度１４．４度と共に上回り、慣行区の糖度平均１３．６度を大きく引き離し、食感などの特性を改善する効果などがある。
【００１５】
実施例２  効果：撒布区は順調な生育を呈して葉を広げ、やがて結実に入たり、対照区では、うどん粉病が発生し、葉は萎縮してしまい一見してそれを認めた。
【００１６】
実施例３  効果：撒布区は順調な生育を呈して葉を広げ、やがて結実に入たり、対照区では、うどん粉病が発生し、葉は萎縮してしまい一見してそれを認めた。
【００１７】
実施例４  効果：本発明の組成物撒布使用区は、対照区に比べて軟弱徒長をおさえ、稲の大敵いもち病、紋枯れ病を、おさえ不稔をすくなくし、成熟歩合が高く青米、及びクズ米減少に繋がった。
【００１８】
したがって、本発明によれば農産物の栽培に於いて、従来の農薬の使用量を大幅低減する事ができる。
【００１９】
本発明の、該組成物を葉面撒布使用する事で、安定生育促進と有機栽培、乃至無農薬栽培、及び減農薬栽培に寄与し、品質の高位平準化を図る。また、安全で且つ環境への負荷を軽減して、生態系の保護を重視した生物環境と多様な相互作用をもつ非生物環境を、考慮しながら生命の保全とその促進を図る大きな意義を奏する。